(57)【要約】【課題】圃場への出入りやトラックへの載せ降ろしを楽に行えるコンバインを提供する。【手段】操縦席１４には操縦ポスト３０，３１が立設されており、操縦ポスト３０，３１の上端には回転式のハンドル２５が取付けられている。操縦ポスト３０，３１は操縦席１４の底部に横倒し可能に取付けられている。操縦ポスト３０，３１には走行機体の前後進及び停止を切り替える歩行操作用走行レバー４３も取付けている。操縦席１４の床下には直進機構と旋回機構とを内蔵した操縦ケース２４が配置されており、操縦ポスト３０，３１は操縦ケース２４の前面部に起倒可能に取付けられている。オペレータは地面に立って操作するにおいて、作業を容易・迅速・安全に行える。【選択図】図４
2009065896.tif 000002
【特許請求の範囲】
【請求項１】
左右のクローラで支持された走行機体、前記走行機体の前部に設けた操縦席、前記操縦席に配置した操縦ハンドル装置及び変速操作レバー、前記操縦ハンドル装置で操作される旋回機構、前記変速操作レバーで操作される直進機構、を備えており、更に、前記操縦ハンドル装置は、略上下方向に延びる操縦ポストとその上端に配置した回転式ハンドルとを備えている、
という乗用型作業車両であって、
前記操縦ハンドル装置は、オペレータが操縦席でハンドルを回転操作できる起立姿勢とオペレータが走行機体の外に立ってハンドルを回転操作し得る倒れ姿勢とに起倒可能な状態で走行機体に取付けられており、前記操縦ハンドル装置に、走行機体の前後進及び停止を切り替える歩行操作用走行レバーと走行機体の前進速度をアップするアクセル手段と走行機体の進行を緊急停止させるブレーキ手段との三者のうちの少なくとも一つを設けている、
乗用型作業車両。
【請求項２】
前記走行機体の前部には、圃場の穀稈を刈り取って走行機体に向けて搬送する刈取部が高さ調節可能に連結されていると共に、前記操縦席が前進方向に向かって右側に偏った状態で設けられており、更に前記走行機体には、刈取部で刈り取られた穀稈から籾を分離する脱穀部と脱穀された籾を貯留するグレンタンクとが搭載されており、前記操縦ハンドル装置は、走行機体の前進方向に向かって右側に横倒しできるように取付けられている、
請求項１に記載した乗用型作業車両としてのコンバイン。
【請求項３】
前記直進機構と旋回機構とは操縦席の床下に配置した操縦ケースに内蔵されている一方、前記操縦ポストに歩行操作用走行レバーが取付けられており、ハンドルにブレーキボタンが取付けられている、
請求項１又は２に記載した乗用型作業車両。
【発明の詳細な説明】
【技術分野】
【０００１】
本願発明は、例えば乗用型コンバインのように主として農作業に使用されるクローラ走行方式の乗用型作業車両に関するものである。
【背景技術】
【０００２】
乗用型コンバインは、一般に、クローラで支持された走行機体を備えており、走行機体の前部に操縦席（運転席）を設けている。また、走行機体の前部には圃場の稲を刈り取る刈取部（前処理部）が高さ調節可能な状態で連結されており、更に、走行機体には、エンジンやトランスミッション、刈取部から送られた穀桿を受け継いで脱穀する脱穀部、脱穀された籾を貯めるグレンタンク、グレンタンクの籾を排出するためのオーガなどが搭載されている。
【０００３】
操縦席には操縦ハンドル装置や変速レバーが配置されており、ハンドルの回転は例えば油圧式の旋回伝動機構（旋回ＨＳＴ）を介してクローラに伝達されており、変速操作レバーの動きは例えば油圧式の直進伝動機構（直進ＨＳＴ）を介してクローラの駆動系に伝達されている。
【０００４】
ところで、コンバインの圃場作業や路上走行ではオペレータが搭乗して操縦しているが、例えばトラックの荷台への載せ下ろしや畔越えのように機体が大きく前傾又は後傾する場合、安全のため、オペレータは走行機体から降りて歩きながら操作したい場合がある。この点について特許文献１，２には、レバー式操縦ハンドルや走行レバーが設けられた操作コラムを前傾可能に操縦席に取り付けることが開示されている。
【特許文献１】特開昭６３−２４８３１５号公報
【特許文献２】特開２００４−２４８号公報
【発明の開示】
【発明が解決しようとする課題】
【０００５】
特許文献１，２において、操作レバーは前後方向に動かすものであるから、オペレータが地上に立ってレバーを機外操作する場合も前後方向に回動させることになるが、レバーの左右位置は操作コラムの傾動に関係なく一定であるため、オペレータが走行機体の横に立って操作する場合、手が届きにくくて操作しにくい場合があった。
【０００６】
また、オペレータはコンバインの横に立ってレバーを操作したい要望があるが（特に、コンバインをトラックに載せ降ろしする場合は、オペレータは安全の確保の点からコンバインの横に立ってレバーの操作を行いたい要望が強いと言える）、特許文献１，２ではレバーは上下に回動させるものであるため、オペレータが走行機体の横に立った状態ではレバーを回動操作させにくい（或いは操作できない）という問題もあった。
【０００７】
また、走行機体の前側に立ってレバーを操作する場合、操作コラムの前傾角度はあまり大きくないため、オペレータは走行機体との間の間隔を大きくできずにレバーを操作しにくい場合もあった。
【０００８】
他方、他の公知文献としての特開２００２−３０８１４０号公報には、回転式操縦ハンドルを有するコンバインにおいて、旋回伝動機構と直進伝動機構とが内蔵された操縦ケースを操縦席の床下に配置することが開示されており、この構成によると、オペレータの足元を広くできるため、オペレータの操縦環境（或いは作業環境）を向上できる利点がある。
【０００９】
本願発明はこの特開２００２−３０８１４０号公報のように回転式の操縦ハンドルを備えている乗用型作業車両に着目し、オペレータが地面に立って容易に操作できる乗用型作業車両を提供することを課題するものである。
【課題を解決するための手段】
【００１０】
本願発明に係る乗用型作業車両は、左右のクローラで支持された走行機体、前記走行機体の前部に設けた操縦席、前記操縦席に配置した操縦ハンドル装置及び変速操作レバー、前記操縦ハンドル装置で操作される旋回機構、前記変速操作レバーで操作される直進機構、を備えており、更に、前記操縦ハンドル装置は、略上下方向に延びる操縦ポストとその上端に配置した回転式ハンドルとを備えている。
【００１１】
そして、請求項１の発明では、上記の構成において、前記操縦ハンドル装置は、オペレータが操縦席でハンドルを回転操作できる起立姿勢とオペレータが走行機体の外に立ってハンドルを回転操作し得る倒れ姿勢とに起倒可能な状態で走行機体に取付けられており、前記操縦ハンドル装置に、走行機体の前後進及び停止を切り替える歩行操作用走行レバーと走行機体の前進速度をアップするアクセル手段と走行機体の進行を緊急停止させるブレーキ手段との三者のうちの少なくとも一つを設けている。
【００１２】
請求項２の発明は請求項１をコンバインに適用したものであり、このコンバインは、前記走行機体の前部には、圃場の穀稈を刈り取って走行機体に向けて搬送する刈取部が高さ調節可能に連結されていると共に、前記操縦席が前進方向に向かって右側に偏った状態で設けられており、更に前記走行機体には、刈取部で刈り取られた穀稈から籾を分離する脱穀部と脱穀された籾を貯留するグレンタンクとが搭載されており、前記操縦ハンドル装置は、走行機体の前進方向に向かって右側に横倒しできるように取付けられている。
【００１３】
請求項３の発明は、請求項１又は２をより好適な形態となしたものであり、前記直進機構と旋回機構とは操縦席の床下に配置した操縦ケースに内蔵されている一方、前記操縦ポストに歩行操作用走行レバーが取付けられており、ハンドルにブレーキボタンが取付けられている。
【発明の効果】
【００１４】
本願発明によると、操縦ハンドル装置が倒れることでオペレータは走行機体の走行を機外から操作できるが、この場合、ハンドルは回転式であるため、操縦ハンドル装置が大きく倒れていても手に力を入れてハンドルをしっかりと正確に回転操作できるのであり、その結果、車両を機外から操作することをより安全かつ容易に行える。
【００１５】
そして、歩行操作用走行レバーを操縦ハンドル装置に設けると、ハンドルを回転操作しながら歩行操作用走行レバーも素早く操作できるため、前後進や停止の切り替えを素早くかつ容易に行うことができ、また、操縦ハンドル装置にアクセル手段を設けると畦超えやトラックへの載せ降ろしの作業を能率よく行うことができ、更に、操縦ハンドル装置にブレーキ手段を設けると、走行機体を素早く停止させることができるため特にトラックへの積み込みを安全に行える。
【００１６】
コンバインでは一般に前進方向の右側が既刈り側になっているため、請求項２のように構成すると圃場への乗り入れに際して稲を踏むことがなくて好適である。また、路上に止めたトラックにコンバインを載せ降ろしする場合、我が国では左側走行であることからトラックは道路の左に寄せて停車させることになるため、請求項２のように構成すると、オペレータは道路の広い場所に立ってコンバインの載せ降ろしを楽に行うことができる。
【００１７】
請求項３の構成にすると、直進機構と旋回機構とが床下の操縦ケースに内蔵されていることにより、操縦ハンドル装置の操縦ポスト（支柱）は単純な筒状で良いため操縦ハンドル装置はごく簡単な構造であり、このため、操縦ハンドル装置を横倒し構造とすることを簡単に行える。
【００１８】
また、ブレーキボタンをハンドルに設けたことにより、オペレータはハンドルに手を掛けた状態で走行機体の進行を瞬時に停止させることができ、かつ、ブレーキボタンを片手で押した状態で歩行操作用走行レバーを他方の手で停止位置に素早く切り替えることができる。このため、請求項３の構成では操作性にも優れている。
【発明を実施するための最良の形態】
【００１９】
次に、本願発明の実施形態を図面に基づいて説明する。本願発明は乗用型の稲用コンバインに適用しており、図１は全体の側面図（右側面図）、図２は全体の平面図、図３はトラックへの積み込み状態を示す側面図、図４は要部の平面図、図５は要部の正面図、図６は要部の側面図、図７は操向伝達系の模式図である。なお、本実施形態で「前後」「左右」の文言を使用するが、この文言は、コンバインの前進方向を向いた姿勢を基準にしている。
【００２０】
(1).コンバインの概略
まず、主として図１，２に基づいてコンバインの概略を説明する。本実施形態のコンバインは二条刈り仕様であり、左右のクローラ２で支持された走行機体１と、その前端部に高さ変更可能に連結された刈取部３を大きな要素としている。左右のクローラ２はそれぞれ一つの駆動輪と多数の従動輪とで周回するようになっており、駆動輪４は前部に配置されている。そして、左右の駆動輪４の回転数を変えることで舵取りされる。
【００２１】
刈取部３は、圃場の穀桿を捌く分草体５、捌かれた穀桿を保持して掻き揚げる掻き揚げタイン装置６、穀桿の株元を切断するカッター、刈取られた穀桿を走行機体１に向けて送るチエン方式の搬送装置７、未刈り穀桿を捌く起倒式の左右のサイドデバイダ８、等を備えている。これらの装置はフレームに取付けられており、フレームは駆動軸が内蔵されたメインリンク９を介して走行機体１の前端部に連結されており、メインリンク９を油圧シリンダで回動させることにより、刈取部３が昇降する。穀桿は、株元を左にして横向きに寝た姿勢で、走行機体１の左側部分に搬送される。
【００２２】
走行機体１は、クローラ２が取付けられたトラックフレーム（車台）とこれに固定された機体とを基本要素として構成されており、この走行機体１に、処理装置として、刈取部３から送られた穀桿を寝かせた状態で後方に向けて搬送するフィードチエン１０、フィードチエン１０で搬送された穀桿から籾を分離する脱穀部１１、脱穀された籾を貯めるグレンタンク１２、グレンタンク１２から籾を機外に排出する旋回自在及び伸縮自在なオーガ１３などが搭載されている。なお、脱穀後の排藁はカッターで裁断されて圃場に放散される。
【００２３】
グレンタンク１２は走行機体１の右後部に配置されており、走行機体１のうちグレンタンク１２の前方の部分に操縦席１４を設けている。すなわち、操縦席１４は走行機体１の前右部に配置されている。操縦席１４には、オペレータＯが腰掛ける座席１５、オペレータＯが足を載せる床板（ステップ板）１６、操縦ハンドル装置１７、座席１５に座ったオペレータＯの左側の部分に配置されたサイドコラム１８等が設けられており、サイドコラム１８に主変速レバー１９や副変速レバー２０等のレバー類やスイッチ類を設けている。
【００２４】
主変速レバー１９は搭乗操作用走行レバーの一例であり、中立姿勢から前倒しすると走行機体１は前進し、中立姿勢から後ろに引くと走行機体は後退する。また、主変速レバー１９は路上走行時のアクセルの役目も持っており、前倒しの程度が大きくなるほど速度は増す（速度を段階的に切り替えることも可能である。）。副変速レバー２０は走行速度を２段階又は３段階に切り替えるためのもので、例えば、圃場作業モード用低速と路上走行モード用高速との２段階切り替えや、低速（例えば畦超え時に使用）と中速（圃場作業）と高速（路上走行）との３段階切り替えなどがある。
【００２５】
座席１５の下方はエンジンルーム２１になっていて、ここにエンジン２２が配置されている。エンジンルーム２１は前後及び左は隔壁で囲われており、右は開閉式のサイドカバー２３で覆われている。エンジンルーム２１の底面は操縦席１４の床板１６よりもやや下方に位置しており、操縦席１４の床板１６の下面部の空間（すなわち床下空間）に操縦ケース２４が配置されており、この操縦ケース２４には、ハンドル２５や主変速レバー１９の操作をクローラ２に伝達するための走行操作機構（直進機構及び旋回機構：詳細は後述）が内蔵されている。
【００２６】
操縦ハンドル装置１７は回転式のハンドル２５とを備えており、ハンドル２５を回転させると操縦ケース２４に内蔵した旋回機構を介して左右のクローラ２の周回速度が変わって走行機体１が舵取りされる。そして、本実施形態では、操縦ハンドル装置１７は水平姿勢かそれ以下に寝た姿勢まで倒すことができる。図３では操縦ハンドル装置１７を前倒しした状態を描いている。
【００２７】
(2).操縦ハンドル装置の詳細
操縦ハンドル装置１７は走行機体１の右側に倒すことも可能であり、この場合は、トラックＴへの載せ降ろしや畔越えに際しては、オペレータＯは走行機体１の右側に立ってハンドル２５等を操作することができる。以下、操縦ハンドル装置１７や走行伝動機構の詳細を主として図４以下の図面を参照して説明する。以下の実施形態では、操縦ハンドル装置１７は走行機体１の右側に横倒しできるようになっている。
【００２８】
例えば図６に示すように、操縦ケース２４の内部には前後方向に延びる操向入力軸２８が配置されており、また、操縦ケース２４の前面には、操向入力軸２８の回りに回転するように補助ギアボックス２９が取付けられている。補助ギアボックス２９は、操向入力軸２８の外側に同心に配置された中空状枢軸（図示せず）を介して取付けられている。
【００２９】
他方、操縦ハンドル装置１７は、補助ギアボックス２９に固定されたインナーポスト３０と、インナーポスト３０に摺動自在で相対回転不能に嵌まったアウターポスト３１とを備えており、両ポスト３０，３１によって中空状の操縦ポストが構成されている。両ポスト３０，３１から成る操縦ポストは床板１６の箇所から立ち上がっている。
【００３０】
そして、両ポスト３０，３１から成る中空状の操縦ポストの内部に、筒状のアウターハンドル軸３２とこれに上方から摺動自在で相対回転不能には嵌まったインナーハンドル軸３３とから成るハンドル軸が配置されており、インナーハンドル軸３３の上端にハンドル２５が固定されている。例えば図６に示すように、ハンドル２５は足部２５ａを有しており、足部２５ａがインナーハンドル軸３３の上端に固定されている。
【００３１】
図７に模式的に示すように、アウターハンドル軸３２の下端には、自在継手を介して主動傘歯車３４が固定されている。主動傘歯車３４は補助ギアボックス２９の内部に露出していて補助ギアボックス２９に回転自在に取付けられており、操向入力軸２８に相対回転不能に固定された従動傘歯車３５に噛み合っている。従って、ハンドル２５を回転させると、ハンドル軸３２，３３を介して従動傘歯車３５が回転し、これに連動して主動傘歯車３４及び操向入力軸２８が回転する。
【００３２】
他方、補助ギアボックス２９は操向入力軸２８の軸心回りに回転させることができ、このため操縦ハンドル装置１７は起立状姿勢から略水平状の横向き姿勢まで自在に回動し得るが、主動傘歯車３４の回転軸心と従動傘歯車３５の回転軸心とは直交していて両傘歯車３４，３５は常に噛合状態が保持されているため、操縦ハンドル装置１７の起倒状態に関係なくハンドル２５を回転させて操向入力軸２８を回転させることができる。これが、操縦ハンドル装置１７を横倒ししても機外からコンバインを舵取りできる基本原理である。
【００３３】
また、摺動自在に嵌まり合ったアウターポスト３０とインナーポスト３１とで中空ポストが構成されていることと、摺動自在に嵌まり合ったハンドル軸がアウター軸３２とインナー軸３３とで構成されていることとにより、操縦ハンドル装置１７は全体として伸縮式になっており、このため、オペレータＯが地面に立って機外でハンドル２５を操作するにおいて、オペレータＯは走行機体１との間隔を任意に変えつつハンドル２５を操作できる。
【００３４】
アウターハンドル軸３２とインナーハンドル軸３３とを摺動自在で相対回転不能に保持するには、キー係合等の回り止め手段を採用したり、両ポスト３０，３１を角形等の非円形に形成することなどを採用したら良い。また、ハンドル軸３２，３３を摺動自在で相対回転不能に保持する手段としては、キー係合なスプライン嵌合などを採用できる。ハンドル軸３２，３３は軸受けによってポスト３０，３１に回転自在に保持されている。
【００３５】
例えば図５に示すように、インナーハンドル軸３３には、当該インナーハンドル軸３３を起立状姿勢と倒れ姿勢とに選択的に保持するロックレバー３６を設けている。前記ロックレバー３６の下部には前後方向に延びる軸受け部が形成されており、この軸受け部がインナーハンドル軸３３に固定された軸受け材３７に嵌まっており、かつ、ロックレバー３６の下端には走行機体１の正面視で鉤形状のロック爪３８が設けられている。他方、床板１６の先端に設けたロック板３９に、ロック爪３８が係脱する係合溝４０を形成している。
【００３６】
係合溝４０は、インナーハンドル軸３３が起立姿勢のときに係合爪３８が係合し得るものと、例えば３０°〜４５°程度倒したときに係合爪３８が係合し得るものと、水平よりもやや大きく倒したときに係合爪３８が係合し得るものとの３つが形成されている。ロックレバー３６は、その係合爪３８が係合溝４０に嵌まり得る方向にばね（図示せず）で付勢されており、このため、３つの姿勢のうちの任意の姿勢に保持される。操縦ハンドル装置１７は、４段階以上の姿勢に段階的に保持したり無段階的に保持したりすることも可能である。
【００３７】
ロックレバー３６は操縦ハンドル装置１７の選択的姿勢保持手段の一例であるが、選択的姿勢保持手段としてはレバー方式に限らず、例えば操縦ハンドル装置に設けた板にピンを前後動自在に設けて、このピンを、走行機体に固定されたロック板に設けた複数の係合穴に選択的に嵌め入れるというピン方式を採用したり、操縦ハンドル装置の回動をガスシリンダで支持するといったことも可能である。
【００３８】
操縦席１４の床部には、操縦ハンドル装置１７が起立姿勢か倒れた姿勢かを判別する姿勢検知センサ４１を設けている。本実施形態では姿勢検知センサ４１は、可動式接触子を有するリミットスイッチを採用しており、インナーハンドル軸３３が起立姿勢では接触子がインナーハンドル軸３３に当たるとＯＦＦになり、インナーハンドル軸３３がある程度の角度以上に倒れるとＯＦＦになるように設定されている。
【００３９】
センサ４１のＯＮ・ＯＦＦは逆でも良い。また、センサ４１の種類はリミットスイッチに限らず、光電スイッチや電磁式近接スイッチなどの各種のものを使用でき、更に、配置位置も床の箇所には限らず、例えば操縦ケース２４の前面部に設けて、補助ギアボックス２９の回転から操縦ハンドル装置の姿勢を検知することも可能である。姿勢検知センサ４１で操縦ポスト３０，３１の倒れを検知している状態では、刈取部３の上昇や脱穀部５の駆動のような走行以外の働きは行われないようになっている。
【００４０】
補助ギアボックス２９にリミットスイッチ等のセンサを設けて、補助ギアボックス２９の前面部かその近傍にリミットスイッチが当たったり離れたりするドグを設けるといったことも可能である。いずれにしても、姿勢検知センサ４１は、オペレータＯが誤った足で蹴って損傷したり物が当たって損傷したりすることがないように、カバーで覆っておくのが好ましい。
【００４１】
操縦ハンドル装置１７を構成するアウターハンドル軸３２の下部には、インナーハンドル軸３３に対するアウターハンドル軸３２の嵌め込み深さを調節するための伸縮ロック手段の一例として、伸縮ロックハンドル４２を設けている。
【００４２】
伸縮ロックハンドル４２による長さのロック手段としては、例えば、ａ）伸縮ロックハンドル４２に設けたピンをアウターハンドル軸３２の内部に抜き差し自在に装着する一方、インナーハンドル軸３３には前記ピンが嵌まる係合穴を軸方向に沿って複数個適宜間隔で設ける、ｂ）伸縮ロックハンドル４２で回転操作されるボルトをアウターハンドル軸３２にねじ込んでこれをインナーハンドル軸３３の外面に突っ張らせたり戻したりする、ｃ）アウターハンドル軸３２の下端部に伸縮ロックハンドル４２でインナーハンドル軸３３を締め付けたり緩めたりできるクランプ体を取り付ける、といったことを採用できる。勿論、他の方法でもよい。
【００４３】
操縦ハンドル装置１７を構成するアウターハンドル軸３２のうちやや上部寄りの部位には、オペレータＯが地面に立って走行機体１の前後進と停止とを着り替えるための歩行操作用走行レバー（補助レバー）４３を設けている。歩行操作用走行レバー４３はその下端を中心にして前後に回動するようにピンでアウターハンドル軸３２に取付けられており、中立位置では走行機体１は停止し、中立位置を挟んで前に倒すと走行機体１は前進し、後ろに倒すと走行機体は後進する。
【００４４】
歩行操作用走行レバー４３の先端部に、アクセル手段の一例としてプッシュ式はアクセルボタン４４を設けており、指による押しの程度の強弱に応じて進行速度が変わるようになっている。なお、歩行操作用走行レバー４３の前倒し角度が大きくなると速度がアップするように構成すること（歩行操作用走行レバー４３そのものをアクセル手段に兼用すること）も可能である。
【００４５】
歩行操作用走行レバー４３の動きやアクセルボタン４４の動きはワイヤーのような機械的連動手段で直進機構に伝えることも可能であるが、構造の簡素化という点からは電気的な制御態様とするのが好ましい。アクセルボタン４４（或いはアクセルレバー）をアウターハンドル軸３２やハンドル２５に設けることも可能であるが、本実施形態のように歩行操作用走行レバー４３に設けると、前後進操作と速度制御操作とをスムースに行える利点がある。
【００４６】
ハンドル２５の頂面部には、走行機体１を進行状態と停止状態とに切り替えるブレーキスイッチ４５が設けられている。ブレーキスイッチ４５は例えばプッシュ式であり、人が手で押さえていない状態では走行機体１は進行可能な状態にあって歩行操作用走行レバー４３によって前後進可能な状態になっており、オペレータＯが手でプッシュするとブレーキが掛かって停止する。ブレーキスイッチ４５は、オペレータＯがハンドル２５を握った状態で操作できる位置に設けており、このため、瞬時に停止操作を行える。
【００４７】
図６に示すように、例えばサイドコラム１８の側面のように操縦席１４の適宜部位に、オペレータＯが操縦席１４に存在するか否かを検知する人検知センサ４６を設けている。この例では、人検知センサ４６は人の熱を検知する赤外線センサを使用しているが、他の様々のセンサを使用できる（例えば、床板１６や座席１５に感圧スイッチを設けることも採用可能である。）。
【００４８】
(3).旋回機構及び直進機構の概略
次に、操向及び変速の制御系統を主として図７の模式図に基づいて説明する。本実施形態では、旋回機構及び直進機構として油圧式の無段変速装置（ＨＳＴ）を使用している（勿論、電動式の無段変速機を使用することも可能である。）。  本実施形態における駆動系及び操向系は、例えば本願出願人の先願に係る特開２００２−３０８１４０号公報に開示されているものと基本的には同じであり、変速用ＨＳＴ、旋回用ＨＳＴ、歯車機構等を備えており、主変速レバー１９及び副変速レバーを回動操作すると、直進用ＨＳＴを構成する直進油圧ポンプの回転斜板の角度が変化して直進油圧モータの正逆回転と回転数（すなわち速度）の制御とが行われる。
【００４９】
また、ハンドル２５を回転操作すると、旋回用ＨＳＴを構成する操向用油圧ポンプの回転斜板の角度が変化して左右駆動輪の回転数が変化し、左右駆動輪の周速度の違いに基づいて走行機体１の向きが変わる。この場合、旋回半径が小さいほど速度は低くなる。主変速レバー１９をニュートラルにした状態ではハンドル２５は機能しておらず、走行機体の向きは変化しない。
【００５０】
歯車機構はミッションケース（図示せず）に内蔵されており、サンギヤ、遊星歯車、リングギア、プラネタリギヤ等を備えている。但し、動力伝達機構そのものは本願発明と直接に関連する訳ではないので説明は省略し、直進機構５１と旋回機構５２との原理的構成を図７の模式図に基づいて説明する。既述のとおり、本実施形態では、直進機構５１と旋回機構５２とは共通した操縦ケース２４に内蔵されている。以下では、両者を総称した用語として走行操作機構５３の文言を使用することがある。
【００５１】
走行操作機構５３は、左右横長で水平姿勢の変速入力軸５４を備えている。変速入力軸５４は、操縦ケース２４に軸受け部材５５を介して片持ち梁の状態で回転可能に取付けられている。また、走行操作機構５３は既述の操向入力軸２８を備えており、この操向入力軸２８は前後方向に延びており、その後端部には、自在継手５６を介して入力支点軸５７の後端部が連結されている。入力支点軸５７には、上向き操向入力部材５８′と横向き操向入力部材５８″とが正面視で直交した姿勢に固定されている。
【００５２】
両操向入力部材５８′，５８″は、ベアリングを介して変速入力軸５４に回転自在に連結されている。自在継手５６は、前後長手の操向入力軸２８の軸心と左右横長姿勢の変速入力軸５４の軸心とが直交する交点箇所に位置している。
【００５３】
従って、操向入力軸２８が正逆回転すると、操向入力部材５８′，５８″は操向入力軸２８の軸心回りに正逆回転し、また、変速入力軸５４が正逆回転すると変速入力軸５４の軸心回りに回転し、入力支点軸５７と一緒に前後方向に傾動する。また、ハンドル２５の回転によって操向入力軸２８が正逆回転すると、操向入力部材５８′，５８″は操向入力軸２８の軸心回りに正逆回転（回動する）する。
【００５４】
操縦コラム１２の下部前側には、第１変速軸としての左右横長の主変速軸５９が回転自在に軸支されている。主変速軸５９の左側端部は操縦コラム１２の左外側に突出しており、この突出端部が主変速軸５９を介して主変速レバー１６に連結されている。主変速レバー１６を前後方向に傾動操作すると、その操作力が主変速リンク６３を介して主変速軸５９に伝達され、当該主変速軸５９をその軸心回りに正逆回転させる。
【００５５】
また、主変速軸５９は、ロッド型主変速部材６０とフロントリンク６１とリアリンク６２とからなるリンク機構を介して変速入力軸５４に連動連結されている。このため、主変速レバー１６の前後傾動操作にて主変速軸５９がその軸心回りに正逆回転すると、変速入力軸５４がその軸心回りに正逆回転し、その結果、上向き操向入力部材５８′が入力支点軸５７と一緒に前後傾動し、横向き操向入力部材５８″はその軸心回りに回転する。
【００５６】
主変速軸５９には操向出力筒６５が回転可能に被嵌している。この操向出力筒６５には略上向きのリンク型操向出力部材６６が固定されており、リンク型操向出力部材６６は、球関継手型操向出力連結部６７を介して略前後長手のロッド型操向結合部材６８の後端部に相対回動可能に連結されている。ロッド型操向結合部材６８の前端部は、自在継手型操向入力連結部６９を介して横向き操向入力部材５８″に連結されている。
【００５７】
本実施形態では、操向出力軸６５、リンク型操向出力部材６６、ロッド型操向結合部材６８、自在継手型操向入力連結部６９、及び球関継手型操向出力連結部６７の部材により、旋回機構５２が構成されている。
【００５８】
操縦ケース２４内部のうち操向出力筒６５の手間側の部位には、主変速軸５９や操向出力筒６５と平行状に延びる左右横長の第２変速軸としての変速出力軸７０が回転可能に軸支されている。この変速出力軸７０には、略上向きのリンク型変速出力部材７１が固定されており、リンク型変速出力部材７１には、球関継手型変速出力連結部７２を介して略前後長手のロッド型変速結合部材７３の後端部が連結されている。また、ロッド型変速結合部材７３の前端部は、自在継手型変速入力連結部７４を介して上向き操向入力部材５８′に連結されている。
【００５９】
本実施形態では、変速出力軸７０、リンク型変速出力部材７１、ロッド型変速結合部材７３、自在継手型変速入力連結部７４、及び球関継手型変速出力連結部７２の組合せが、機体の車速（走行速度）の変更及び前後進の切換を行うための直進機構５１を構成している。
【００６０】
操縦ケース２４の後部には、旋回伝動筒７５とその内部に同心に嵌まった直進伝動軸７６とがそれぞれ独立して回転可能に軸支されている。旋回伝動筒７５及び直進伝動軸７６の前端部は操縦ケース２４の内部に配置されている一方、旋回伝動筒７５及び直進伝動軸７６の後端部は操縦ケース２４の後方に突出している。
【００６１】
旋回伝動筒７５の前端部には左右横向きの旋回用上リンク部材７７が固定されている一方、操向出力軸６５には略後ろ向きに延びる操向出力リンク７８が固定されており、これら旋回用上リンク部材７７と操向出力リンク７８とが継手軸７９を介して相対動可能に連結されている。他方、旋回伝動筒軸７５の後端部には横向きの旋回リンク８０が固定されており、旋回用リンク８０と旋回用ＨＳＴ８１の旋回制御軸（図示省略）とは旋回用リンク機構８２を介して相対動可能に連結されている。
【００６２】
一方、直進伝動軸７６は旋回伝動筒７５の前方と後方とに突出しており、直進伝動軸７６の前端部には横向きの変速入力リンク８３が固着されている一方、変速出力軸７０には後ろ向き等の変速出力リンク８４が固定されており、変速入力リンク８３と変速出力リンク８４とが継手軸８５を介して相対動可能に連結されている。直進伝動軸７６の後端部には横向きの直進リンク８６が固定されており、この直進リンク８６は、直進用ＨＳＴ８７から突出した直進制御軸（図示省略）に直進用リンク８８を介して連動連結されている。
【００６３】
(4).走行操作機構の動きのまとめ
次に、図４に基づいて、主変速レバー１６やハンドル２５を操作したときの直進機構５１及び旋回機構５２の作動を説明する。主変速レバー１６が中立位置のときは、ハンドル２５を左右回動操作しても、操向入力部材５８′，５８″、ロッド型操向結合部材６８及びロッド型変速結合部材７３が操向入力軸２８の軸心回りの円錐軌跡Ｃに沿って移動するため、リンク型操向出力部材６６，リンク型変速出力部材７１，操向出力軸６５及び変速出力軸７０は停止状態に維持される。
【００６４】
主変速レバー１６を前方（後方）に倒す前進（後進）操作をしたときは、主変速軸５９から下リンク６２及びロッド型主変速部材６０を経由した操作力により、操向入力部材９５が変速入力軸５４回りに前方（後方）に傾き、自在継手型操向入力連結部６９が所定位置に停止した状態を保持しながら、自在継手型変速入力連結部７４を前方（後方）に移動させ、リンク型変速出力部材７１の前方（後方）揺動にて変速出力軸７０を正転（逆転）させる。
【００６５】
すると、変速出力軸７０から、当該変速出力軸７０側のリンク部材８５〜８３を経由した操作力にて、直進伝動軸７６がその軸心回りに正転（逆転）し、この正転（逆転）にて直進用リンク機構８８が押し引きされ、直進油圧ポンプ２３の直進制御軸を正逆回転させる。その結果、左右の走行クローラ２は主変速レバー１６の前後傾動操作量に比例して同期して周回し、これによって前進（後進）動作を実行する。
【００６６】
主変速レバー１６による前進（後進）操作をした状態で、ハンドル２５を左方向（右方向）に回転させると、操向入力部材５８′，５８″は、変速入力軸５４の回りに前方（後方）に傾いた姿勢で操向入力軸２８の回りに正転（逆転）し、すると、自在継手型操向入力連結部６９が後方（前方）に移動して、リンク型操向出力部材６６が後方（前方）に揺動し、その結果、操向出力軸６５を正転（逆転）させる。
【００６７】
すると、操向出力軸６５から、球関継手軸７９、操向出力リンク７８及び旋回用上リンク部材７７を経由した操作力にて、旋回伝動筒軸７５がその軸心回りに正転（逆転）し、この正転（逆転）にて旋回用リンク機構８２が押し引きされ、旋回油圧ポンプの旋回制御軸を正逆回転させる。その結果、ハンドル２５の回動操作量に比例して、左走行クローラ２が減速（増速）方向に駆動する一方、右走行クローラ２が増速（減速）方向に駆動し、左（右）方向に機体を旋回させてその走行進路を修正する。
【００６８】
この場合、前記の走行進路修正動作と同時に、ハンドル２５の左（右）回動操作にて、操向入力部材５８′，５８″が変速入力軸５４の軸心回りに前方（後方）に傾いた姿勢で操向入力軸２８の回りに正転（逆転）して、自在継手型変速入力連結部７４を後方（前方）に移動させ、リンク型変速出力部材７１の後方（前方）揺動にて変速出力軸７０を逆転（正転）させる。
【００６９】
このため、変速出力軸７０からの戻し操作力にて、直進伝動軸７６はその軸心回りに逆転（正転）し、直進用リンク機構８８が、ハンドル２５の回動操作量に比例して直進制御軸を逆転（正転）させ、そのときの旋回半径に対応して機体の前進（後進）直進速度を減速させる。
【００７０】
すなわち、前記通常の場合は、主変速レバー１６による前進（後進）操作をした状態でハンドル２５を回動操作すると、ハンドル２５の回転操作量に比例して、進路を修正する旋回半径と走行速度の減速量が変化し、ハンドル２５の回動操作量が大きいほど、左右の走行クローラ２の速度差を大きくして旋回半径が小さくなると共に、走行速度の減速量が増して車速（直進速度）が遅くなる。
【００７１】
また、前進時と後進時とでは、ハンドル２５の回動操作に対して自在継手型旋回入力連結部６９の動きが逆になり、前後進の何れにおいてもハンドル２５の回動操作方向と機体の旋回方向とが一致する。
【００７２】
(5).歩行操作用走行レバーの操作系統
次に、歩行操作用走行レバー４３に関連した構成及びそれらの働きを主として図７に基づいて説明する。歩行操作用走行レバー４３はハンドル２５を構成するアウターハンドル軸３２に例えばピン９０によって前後傾動自在に連結されているが、歩行操作用走行レバー４３の下端はピン９０より下方にはみ出たドグ部になっている一方、アウターハンドル軸３２のうち歩行操作用走行レバー４３の下方部にはリミットスイッチ９１を設けており、リミットスイッチ９１は、歩行操作用走行レバー４３が傾動するとその下端のドグ部が当たって回動する接触子９２を有している。
【００７３】
リミットスイッチ９１はケーブル９３で制御回路部８４に接続されており、例えば、歩行操作用走行レバー４３が中立姿勢のときは通電せず、歩行操作用走行レバー４３を前傾させると前進信号を発する第１通電状態になり、歩行操作用走行レバー４３を後傾させると後退用信号を発する第２通電状態になるように設定している。２つの通電状態の区別方法としては、信号線を変えても良いし、或いは、信号線は共通として電圧や抵抗値等の電気的特性を変えても良い。
【００７４】
他方、主変速レバー１９の回動支点は回動軸９５で構成されており、この回動軸９５には電磁クラッチ付きのステップモータ９６が接続されている。モータ９６は、その回転により、主変速レバー１９を中立位置と前進姿勢と後傾位置とに切り替えることができ、また、電磁クラックのＯＦＦにより、回動軸９５の駆動が不能になる。モータ９６は制御回路部９４に電源ケーブル９３で接続されている。
【００７５】
ハンドル２５に設けたブレーキボタン４５、歩行操作用走行レバー４３に設けたアクセルボタン４４、操縦席１４の床部に設けた姿勢検知センサ４１はそれぞれケーブル９７で制御回路部９４に接続されている。図示していないが、駆動系には駆動輪４の回転を制動する電磁式等の遠隔操作式ブレーキが設けられており、ブレーキボタン４５がＯＮになると駆動輪４にブレーキが掛けられる。
【００７６】
また、エンジンの燃料噴射ポンプには燃料噴射量を増減できる電磁式等の調節装置が設けられており、アクセルボタン４４が押されると、調節装置が駆動されてエンジンの回転数が上がるようになっている。アクセルボタン４４のプッシュの強さにモータ９６の回転角度を比例させることにより、直進機構５１の操作によって速度を変えることも可能である（この場合は、エンジン２２の回転数は一定で速度が変わる）。人検知センサ４６もケーブル１００で制御回路部９４に接続されている。
【００７７】
(6).まとめ
以上の構成において、リミットスイッチ９１が無通電状態のときはモータ９６は停止しており、リミットスイッチ９１から前進信号が発せられるとモータ９６は主軸が所定角度だけ正転して主変速レバー１９を前進位置に回動させ、歩行操作用走行レバー４３を中立位置に戻し回動すると前進信号が消えることでモータ９６は元の状態に戻り回転する。
【００７８】
歩行操作用走行レバー４３が後傾姿勢になるとリミットスイッチ９１から後退信号が発せられてモータ９６は主軸が所定角度だけ逆転して主変速レバー１９を後退姿勢に回動させる。歩行操作用走行レバー４３を後退姿勢から中立位置に戻すと、モータ９６は元の状態（原位置）に戻り回転して主変速レバー１９を中立状態に復帰させる。
【００７９】
このように、オペレータＯは走行機体の右側に立って歩行操作用走行レバー４３を回動操作することにより、コンバインを前進させたり後退させたり停止させたりすることができ、また、前進又は後退させながら進行方向を変えることができるため、畦超えやトラックへの載せ降ろしを楽にしかも正確に行える。
【００８０】
そして、ハンドル２５にブレーキボタン４５を設けているため、コンバインを瞬間的に停止させることができる。従って、特にトラックＴへの積み込みを安全に行える利点がある。また、歩行操作用走行レバー４３にアクセルボタン４４を設けているため、地面からの操作作業を迅速に行える。なお、アクセルボタン４４のようなアクセル手段はハンドル２５に設けてもよい。
【００８１】
(7).その他
本願発明は上記の実施形態の他にも様々に具体化できる。例えば操縦ポストは伸縮式である必然性はなく、長さが一定であってもよい。歩行操作用走行レバーは操縦ポストとは別の部位に設けることも可能である。ハンドルの回転は複数の自在継手を介して走行入力軸に伝えることも可能である。
【図面の簡単な説明】
【００８２】
【図１】第１実施形態に係るコンバインの側面図である。
【図２】コンバインの平面図である。
【図３】トラックへの積み込み状態を示す側面図である。
【図４】要部の平面図である。
【図５】要部の正面図である。
【図６】要部の側面図である。
【図７】走行操作機構系統の模式図である。
【符号の説明】
【００８３】
１  走行機体
２  走行クローラ
３  刈取部
４  駆動輪
１４  操縦席
１６  床板（ステップ板）
１７  操縦ハンドル装置
１９  搭乗操作用走行レバーとしての主変速レバー
２２  エンジン
２４  操縦ケース
２５  ハンドル
２９  補助ギアボックス
３０  操縦ポストを構成するインナーポスト
３１  操縦ポストを構成するアウターポスト
３２，３３  ハンドル軸
４３  歩行操作用走行レバー
４４  アクセルボタン
４５  ブレーキボタン
５１  直進機構
５２  旋回機構
５３  走行操作機構
【図１】
2009065896.tif 000003
【図２】
2009065896.tif 000004
【図３】
2009065896.tif 000005
【図４】
2009065896.tif 000006
【図５】
2009065896.tif 000007
【図６】
2009065896.tif 000008
【図７】
2009065896.tif 000009